(57)【要約】【課題】簡単な形状を有し、低コストであって、尚且つ、発光部と受光部との間の混信を防止した光伝送モジュールを提供する。送信用の光ファイバと受信用の光ファイバとの誤配線を防止した光伝送モジュールを提供する。【解決手段】光伝送モジュールは、送信用の電気信号を光信号へ変換しこの光信号を送信する光送信部１２と、光送信部に隣接し受信された光信号を電気信号へ変換する光受信部１４と、光送信部において変換される電気信号を入力する信号入力部１９と、光受信部において変換された電気信号を出力する信号出力部２０と、光送信部と信号入力部との間、並びに、光受信部と信号出力部との間に接続され、信号入力部に入力された電気信号の信号レベルに依って、光受信部において変換された電気信号を信号出力部へ送信する、または、この送信を停止する演算回路３０とを備えている。【選択図】  図１
2005039358.tif 000002
【特許請求の範囲】
【請求項１】
送信用の電気信号を光信号へ変換し、この光信号を送信する光送信部と、
前記光送信部に隣接し、受信された光信号を電気信号へ変換する光受信部と、
前記光送信部において変換される電気信号を入力する信号入力部と、
前記光受信部において変換された電気信号を出力する信号出力部と、
前記光送信部と前記信号入力部との間、並びに、前記光受信部と前記信号出力部との間に接続され、前記信号入力部に入力された電気信号の信号レベルに従って、前記光受信部において変換された電気信号を前記信号出力部へ送信することを実行または停止する演算回路とを備えた光伝送モジュール。
【請求項２】
前記演算回路は、
前記光送信部と前記信号入力部との間に一端が接続され、この一端から入力した電気信号の信号レベルを反転して該電気信号を他端から出力するインバータ回路と、
前記インバータ回路の他端および前記光受信部のそれぞれに接続された２つの入力端子および前記信号出力部に接続された出力端子を有するＡＮＤ回路とを含むことを特徴とする請求項１に記載の光伝送モジュール。
【請求項３】
前記演算回路は、
前記光送信部と前記信号入力部との間に一端が接続され、この一端から入力した電気信号の信号レベルを一定期間保持して該電気信号を他端から出力するレベル保持回路と、
前記レベル保持回路の他端に一端が接続され、この一端から入力された電気信号の信号レベルを反転させて該電気信号を他端から出力するインバータ回路と、
前記インバータ回路の他端および前記光受信部のそれぞれに接続された２つの入力端子および前記信号出力部に接続された出力端子を有するＡＮＤ回路とを含むことを特徴とする請求項１に記載の光伝送モジュール。
【請求項４】
前記演算回路は、
前記信号入力部に入力された電気信号がロウレベルであるときに、前記光受信部において変換された電気信号を前記信号出力部へ送信し、
前記信号入力部に入力された電気信号がハイレベルであるときに、前記光受信部において変換された電気信号を前記信号出力部へ送信することを停止することを特徴とする請求項１に記載の光伝送モジュール。
【請求項５】
半二重伝送方式によってデジタル信号を送受信することを特徴とする請求項１に記載の光伝送モジュール。
【請求項６】
送信用の電気信号を光信号へ変換し、この光信号を送信する第１の光送信部、および、前記第１の光送信部に隣接し、受信された光信号を電気信号へ変換する第１の光受信部を有する第１の送受信器対と、
送信用の電気信号を光信号へ変換し、この光信号を送信する第２の光送信部、および、前記第２の光送信部に隣接し、受信された光信号を電気信号へ変換する第２の光受信部を有する第２の送受信器対と、
前記第１の光送信部または前記第２の光送信部のいずれかにおいて変換される電気信号を入力する信号入力部と、
前記第１の光受信部または前記第２の光受信部のいずれかにおいて変換された電気信号を出力する信号出力部と、
前記第１および第２の送受信器対と前記信号入力部との間、並びに、前記第１および第２の送受信器対と前記信号出力部との間に接続され、前記第１の光受信部または前記第２の光受信部から前記信号出力部へ送られる電気信号の信号レベルに従って、前記第１および第２の送受信器対のうち光信号を受信していない光受信部を含む送受信器対が有する光送信部へ、前記信号入力部に入力された電気信号を送信する第１の演算回路とを備えた光伝送モジュール。
【請求項７】
前記第１の光送信部と前記第１の光受信部との間および前記第２の光送信部と第２の光受信部との間に遮光部が設けられていることを特徴とする請求項６に記載の光伝送モジュール。
【請求項８】
前記第１の演算回路は、
前記第１および第２の光受信部にそれぞれ接続された２つの入力端子と、前記信号出力部に接続された出力端子とを有するＯＲ回路と、
前記ＯＲ回路の出力端子および前記信号入力部にそれぞれ接続された２つの入力端子と、前記信号入力部および前記ＯＲ回路からの信号の論理積を出力する出力端子とを有する第１のＡＮＤ回路と、
前記第１の光受信部から前記ＯＲ回路へ入力される電気信号の信号レベルに従って、前記第１のＡＮＤ回路の出力端子から出力された信号を前記第１の光送信部へ送信することを実行または停止する第１の信号制御回路と、
前記第２の光受信部から前記ＯＲ回路へ入力される電気信号の信号レベルに従って、前記第１のＡＮＤ回路の出力端子から出力された信号を前記第２の光送信部へ送信することを実行または停止する第２の信号制御回路とを含むことを特徴とする請求項６に記載の光伝送モジュール。
【請求項９】
前記第１の演算回路は、
前記第１および第２の光受信部にそれぞれ接続された２つの入力端子と、前記信号出力部に接続された出力端子とを有するＯＲ回路と、
前記ＯＲ回路の出力端子に一端が接続され、前記ＯＲ回路から出力される電気信号の信号レベルを一定期間保持して該電気信号を他端から出力する第１のレベル保持回路と、
前記信号入力部および前記第１のレベル保持回路の他端にそれぞれ接続された２つの入力端子と、前記信号入力部からの信号および前記第１のレベル保持回路からの信号の論理積を出力する出力端子とを有する第１のＡＮＤ回路と、
前記第１の光受信部から前記ＯＲ回路へ入力される電気信号の信号レベルに従って、前記第１のＡＮＤ回路の出力端子から出力された信号を前記第１の光送信部へ送信する、または、この送信を停止する第１の信号制御回路と、
前記第２の光受信部から前記ＯＲ回路へ入力される電気信号の信号レベルに従って、前記第１のＡＮＤ回路の出力端子から出力された信号を前記第２の光送信部へ送信する、または、この送信を停止する第２の信号制御回路とを含むことを特徴とする請求項６に記載の光伝送モジュール。
【請求項１０】
前記第１の信号制御回路は、
前記第１の光受信部と前記ＯＲ回路との間に一端が接続され、この一端から入力した電気信号の信号レベルを一定期間保持して該電気信号を他端から出力する第２のレベル維持回路と、
前記第２のレベル維持回路の他端に一端が接続され、この一端から入力された電気信号の信号レベルを反転して該電気信号を他端から出力する第１のインバータ回路と、
前記第１のインバータ回路の他端および前記第１のＡＮＤ回路の出力端子のそれぞれに接続された２つの入力端子と、前記第１の光送信部に接続された出力端子とを有する第２のＡＮＤ回路とを含み、
前記第２の信号制御回路は、
前記第２の光受信部と前記ＯＲ回路との間に一端が接続され、この一端から入力した電気信号の信号レベルを一定期間保持して該電気信号を他端から出力する第３のレベル維持回路と、
前記第３のレベル維持回路の他端に一端が接続され、この一端から入力された電気信号の信号レベルを反転して該電気信号を他端から出力する第２のインバータ回路と、
前記第２のインバータ回路の他端および前記第１のＡＮＤ回路の出力端子のそれぞれに接続された２つの入力端子と、前記第２の光送信部に接続された出力端子とを有する第３のＡＮＤ回路とを含むことを特徴とする請求項８または請求項９に記載の光伝送モジュール。
【請求項１１】
前記第１の演算回路と前記第１の送受信器対との間に接続され、前記第２のＡＮＤ回路から出力された電気信号の信号レベルに従って、前記第１の光受信部において変換された電気信号を前記ＯＲ回路へ送信することを実行または停止する第２の演算回路と、
前記第１の演算回と前記第２の送受信器対との間に接続され、前記第３のＡＮＤ回路から出力された電気信号の信号レベルに従って、前記第２の光受信部において変換された電気信号を前記ＯＲ回路へ送信することを実行または停止する第３の演算回路とをさらに備えたことを特徴とする請求項６に記載の光伝送モジュール。
【請求項１２】
前記第２の演算回路は、
前記第２のＡＮＤ回路と前記第１の光送信部との間に一端が接続され、この一端から入力した電気信号の信号レベルを一定期間保持して該電気信号を他端から出力する第４のレベル保持回路と、
前記第４のレベル保持回路の他端に一端が接続され、この一端から入力された電気信号の信号レベルを反転して該電気信号を他端から出力する第３のインバータ回路と、
前記第３のインバータ回路の他端および前記第１の光受信部のそれぞれに接続された２つの入力端子と、前記ＯＲ回路に接続された出力端子とを有する第４のＡＮＤ回路とを含み、
前記第３の演算回路は、
前記第３のＡＮＤ回路と前記第２の光送信部との間に一端が接続され、この一端から入力した電気信号の信号レベルを一定期間保持して該電気信号を他端から出力する第５のレベル保持回路と、
前記第５のレベル保持回路の他端に一端が接続され、この一端から入力された電気信号の信号レベルを反転して該電気信号を他端から出力する第４のインバータ回路と、
前記第４のインバータ回路の他端および前記第２の光受信部のそれぞれに接続された２つの入力端子と、前記ＯＲ回路に接続された出力端子とを有する第５のＡＮＤ回路とを含むことを特徴とする請求項１１に記載の光伝送モジュール。
【請求項１３】
前記第１の演算回路は、
前記第１の光受信部から前記信号出力部へ送られる電気信号がハイレベルである場合に、前記信号入力部に入力された電気信号を前記第２の光送信部へ送信することを特徴とする請求項６に記載の光伝送モジュール。
【請求項１４】
全二重伝送方式によってデジタル信号を送受信することを特徴とする請求項６に記載の光伝送モジュール。
【発明の詳細な説明】
【０００１】
【発明の属する技術分野】
本発明は光伝送モジュールに関する。
【０００２】
【従来の技術】
半二重伝送方式を採用する双方向光伝送モジュールは、単線の光ファイバを用いてデジタル信号を送受信する。単線の光ファイバで信号を送受信するので、光信号の送信に用いる発光部および光信号の受信に用いる受光部は、同一の光伝送モジュール内部において互いに隣接して構成されている。発光部と受光部とが隣接していると、発光部から送信された光信号の直接光または反射光が受光部に入射するおそれがある。これによって、受光部は誤って発光部からの光信号を受信してしまうという問題がある。
【０００３】
図４は、特許文献４に記載された半二重伝送方式を採用する光伝送モジュール１２１の断面図である。従来、半導体レーザ１０２からの光信号がフォトダイオード１１７に入射することを防止するために、光伝送モジュール１２１に光導波路１０４および光導波路１０５が設けられていた。
【０００４】
一方で、全二重伝送方式を採用する双方向光伝送モジュール（図示せず）は、送信用の光ファイバと受信用の光ファイバとを用いて信号を送受信する。全二重伝送方式では、複数の光ファイバで信号を送受信するので、発光部からの光信号が受光部に入射するという問題は生じない。
【０００５】
【特許文献１】
特開２０００−３４１２１９号公報
【特許文献２】
特開２００１−４８７８号公報
【特許文献３】
特開平５−１３００３９号公報
【特許文献４】
特開平１１−３０８１７９号公報
【０００６】
【発明が解決しようとする課題】
従来の半二重伝送方式の光伝送モジュールでは、半導体レーザ１０２からの光信号がフォトダイオード１１７に入射することを防止するために、光導波路１０４および光導波路１０５が様々な形状に形成されていた。即ち、従来においては発光部と受光部とを遮光するために、光伝送モジュールを複雑な形状に形成する必要があった。光伝送モジュールの構造が複雑化すると、そのコストが上昇するという問題が生じる。
【０００７】
また、半導体レーザ１０２からの光信号が光ファイバ１の端面Ｅにおいて反射する場合がある。この反射光がフォトダイオード１１７に入射することを防止するために、端面Ｅは光信号の進行方向に対して傾斜するように形成されていた。端面Ｅは、光信号の反射率を低下させるために適切な角度に傾斜させる必要があった。これは、光ファイバのコストを上昇させる要因となる。
【０００８】
従来の全二重伝送方式の光伝送モジュールにおいては、光コネクタと光ファイバとの接続の際に、送信用の光ファイバと受信用の光ファイバとを誤配線（逆配線）してしまうおそれがある。従来においては、このような誤配線を防止するために、送受の識別可能とする標識を光ファイバに付着していた。しかし、光コネクタと光ファイバとは作業員によって接続されるので、誤配線のおそれは完全に払拭することはできない。
【０００９】
そこで、本発明の目的は、簡単な形状を有し、低コストであって、尚且つ、発光部と受光部との間の混信を防止した光伝送モジュールを提供することである。
【００１０】
また、本発明の目的は、送信用の光ファイバと受信用の光ファイバとの誤配線を防止した光伝送モジュールを提供することである。
【００１１】
【課題を解決するための手段】
本発明に従った実施の形態による光伝送モジュールは、
送信用の電気信号を光信号へ変換し、この光信号を送信する光送信部と、
前記光送信部に隣接し、受信された光信号を電気信号へ変換する光受信部と、前記光送信部において変換される電気信号を入力する信号入力部と、
前記光受信部において変換された電気信号を出力する信号出力部と、
前記光送信部と前記信号入力部との間、並びに、前記光受信部と前記信号出力部との間に接続され、前記信号入力部に入力された電気信号の信号レベルに従って、前記光受信部において変換された電気信号を前記信号出力部へ送信することを実行または停止する演算回路とを備えている。
【００１２】
本発明に従った他の実施の形態による光伝送モジュールは、
送信用の電気信号を光信号へ変換し、この光信号を送信する第１の光送信部、および、前記第１の光送信部に隣接し、受信された光信号を電気信号へ変換する第１の光受信部を有する第１の送受信器対と、
送信用の電気信号を光信号へ変換し、この光信号を送信する第２の光送信部、および、前記第２の光送信部に隣接し、受信された光信号を電気信号へ変換する第２の光受信部を有する第２の送受信器対と、
前記第１の光送信部または前記第２の光送信部のいずれかにおいて変換される電気信号を入力する信号入力部と、
前記第１の光受信部または前記第２の光受信部のいずれかにおいて変換された電気信号を出力する信号出力部と、
前記第１および第２の送受信器対と前記信号入力部との間、並びに、前記第１および第２の送受信器対と前記信号出力部との間に接続され、前記第１の光受信部または前記第２の光受信部から前記信号出力部へ送られる電気信号の信号レベルに従って、前記第１および第２の送受信器対のうち光信号を受信していない光受信部を含む送受信器対が有する光送信部へ、前記信号入力部に入力された電気信号を送信する第１の演算回路とを備えている。
【００１３】
【発明の実施の形態】
以下、図面を参照し、本発明による実施の形態を説明する。これらの実施の形態は本発明を限定するものではない。
【００１４】
本発明に係る実施の形態に従った半二重伝送方式の光伝送モジュールは、光送信部が光信号を送信する際に光受信部の信号出力を停止させる。これにより、光伝送モジュールは、光送信部と光受信部とを遮光する構造を要することなく、光送信部と光受信部との間の混信を防止することができる。
【００１５】
本発明に係る実施の形態に従った全二重伝送方式の光伝送モジュールは、送信用の光ファイバと受信用の光ファイバとを自動識別する。これにより、送信用の光ファイバと受信用の光ファイバとの誤配線を防止することができる。
【００１６】
以下の実施の形態において、光伝送モジュールは、ＦＡ機器、ＯＡ機器、民生機器用途などに用いられ、光ファイバを伝送路としてデジタル信号を送受信する。
【００１７】
（第１の実施形態）
図１は、本発明に係る実施の形態に従った半二重方式の光伝送モジュール１００の模式図である。光伝送モジュール１００は、光送信モジュール１１、光送信部１２、光受信モジュール１３、光受信部１４、信号入力部１９、信号出力部２０および演算回路３０を備えている。光送信部１２は、例えば、ＬＥＤや半導体レーザ（ＬＤ）などの発光素子であり、送信ＩＣ（図示せず）とともに光送信モジュール１１に配備されている。光受信部１４は、例えば、フォトダイオード（ＰＤ）などの受光素子であり、受信ＩＣ（図示せず）とともに光受信モジュール部１３に配備されている。光ファイバ１０は、プラスチック・オプティカル・ファイバ（ＰＯＦ）などの光伝送媒体である。
【００１８】
光伝送モジュール１００は、光ファイバ１０を通して他の光伝送モジュール（図示せず）と通信する。光送信部１２は、送信用の電気信号を光信号へ変換し、光ファイバ１０を通してこの光信号を他の光伝送モジュールへ送信する。光受信部１４は、他の光伝送モジュールから光ファイバ１０を通して光信号を受信し、この光信号を電気信号へ変換する。このように、光送信部１２および光受信部１４は、光ファイバ１０という単一の伝送線を通して光信号をそれぞれ送信および受信する。よって、光送信部１２および光受信部１４は互いに隣接して設けられている。
【００１９】
信号入力部１９は光送信部１２において変換される電気信号を入力することができるように構成されている。信号出力部２０は光受信部１３において変換された電気信号を出力することができるように構成されている。
【００２０】
演算回路３０は、光送信部１２と信号入力部１９との間、並びに、光受信部１４と信号出力部２０との間に接続されている。演算回路３０は、レベル保持回路１６、インバータ回路１７およびＡＮＤ回路１８を備えている。
【００２１】
レベル保持回路１６は、入力端子１６ａが光送信部１２と信号入力部１９との間に接続されている。レベル保持回路１６は、入力端子１６ａから入力した電気信号の信号レベルを一定期間保持するように構成されている。さらに、レベル保持回路１６は、信号レベルが保持されたこの電気信号を出力端子１６ｂから出力する。例えば、レベル保持回路１６はピークホールド回路（Ｐｅａｋ  Ｈｏｌｄ  Ｃｉｒｃｕｉｔ）である。信号レベルとは、電気信号のデジタル値を表すレベルである。例えば、デジタル値を電気信号の電圧値で表している場合には、信号レベルとは、電気信号の電圧値のレベルである。
【００２２】
インバータ回路１７は、入力端子１７ａがレベル保持回路１６の出力端子１６ｂに接続されている。インバータ回路１７は、レベル保持回路１６から入力した電気信号の最高電圧値を反転させ、この反転後の電気信号を出力端子１７ｂから出力する。
【００２３】
ＡＮＤ回路１８は、２つの入力端子および１つの出力端子を有する。その一方の入力端子１８ａはインバータ回路１７の出力端子１７ｂに接続され、他方の入力端子１８ｂは光受信部１４に接続されている。また、その出力端子１８ｃは信号出力部２０に接続されている。ＡＮＤ回路１８は、インバータ回路１７からの信号と光受信部１４からの信号との論理積を演算し、その演算結果を出力するように構成されている。
【００２４】
次に、光伝送モジュール１００の動作を説明する。本実施の形態においては、半二重伝送方式を採用しているので、光ファイバ１０は、送信信号と受信信号とを周期的に交互に通信する。よって、光伝送モジュール１００は送信動作と受信動作とを周期的に交互に繰り返す。以下、この送信動作の期間および受信動作の期間をそれぞれ送信期間および受信期間という。
【００２５】
まず、送信期間においては、信号入力部１９が外部の信号処理システム（図示せず）から送信用の電気信号を入力する。この送信用の電気信号は、演算回路３０を通って光送信モジュール１１へ送信される。さらに、光送信部１２が、この送信用の電気信号を光信号へ変換し、この光信号を光ファイバ１０へ送信する。
【００２６】
レベル保持回路１６は、送信用の電気信号を端部１６ａから入力し、この電気信号の最高電圧値（以下、ハイレベルともいう）を送信期間の間だけ保持する。端部１６ａにデジタル信号が入力されているときには、必ずハイレベルの信号が含まれている。このとき、レベル保持回路１６の出力端子１６ｂがハイレベルに保持されるので、インバータ回路１７の出力端子１７ｂは、低電圧（以下、ロウレベルともいう）になる。
【００２７】
ＡＮＤ回路１８の入力端子１８ａは、インバータ回路１７の出力端子１７ｂに接続されているので、ＡＮＤ回路１８の入力端子１８ａはロウレベルになる。従って、このとき、ＡＮＤ回路１８は、入力端子１８ｂの電圧値のレベルに関係なく、出力端子１８ｃにおいてロウレベルを出力する。即ち、光送信部１２から送信された光信号が光受信部１４に入射しても、ＡＮＤ回路１８は光受信部１４からの信号を信号出力部２０へ送信しない。換言すると、演算回路３０は、送信期間において、光受信部１４からの信号を無効にすることができる。
【００２８】
受信期間においては、信号入力部１９から入力される送信用の電気信号はロウレベルに維持され、ＡＮＤ回路１８の入力端子１８ａにおける電圧値はハイレベルに保持される。従って、ＡＮＤ回路１８は、入力端子１８ｂにおける電気信号を出力端子１８ｃから出力する。
【００２９】
これにより、受信期間においては、光受信部１４が光信号を受信し、この光信号に従った電気信号が信号出力部２０から出力される。即ち、受信期間においては、光伝送モジュール１００は、正常に受信動作を行うことができる。
【００３０】
ここで、レベル保持回路１６は、電気信号の電圧値のレベルを一定期間保持する。レベル保持回路１６が送信期間を超えて受信期間においてハイレベルを保持した場合には、光伝送モジュール１００が受信期間中に受信信号を受信することができなくなってしまう。従って、この一定期間とは送信期間以下の期間である。
【００３１】
一方で、送信期間において送信された光信号が光受信部１４に受信され、この信号が誤って信号出力部２０から出力されないように、レベル保持回路１６は、送信期間においては充分に長い間ハイレベルを保持することが好ましい。従って、好ましくは、この一定期間とは、送信期間と同期間である。さらに、レベル保持回路１６は送信期間においては充分に高い電圧値を保持し、送信期間から受信期間へ切り替わる直前に充分に低い電圧値へ変更されることが好ましい。これにより、送信期間と受信期間との間の無駄な時間が低減される。
【００３２】
このように、演算回路３０は、信号入力部１９に信号が入力されている場合には光受信部１４が受信した信号を信号出力部２０へ通過させない。一方で、信号入力部１９に信号が入力されていない場合には、演算回路３０は、光受信部１４から信号出力部２０へ信号を通過させる。
【００３３】
本実施の形態は、演算回路３０のように簡単な回路を付加するだけで、発光部と受光部との間の混信を防止することができる。即ち、本実施の形態は、図４に示された光導波路１０４および光導波路１０５のように複雑な形状を有する遮光壁または遮光板を要することなく、発光部と受光部との間の混信を防止することができる。
【００３４】
本実施の形態によれば、送信期間において光受信部１４により受信された信号は信号出力部２０へ通過しない。よって、送信期間において、光ファイバ１０の端面Ｅ１０における反射光が光受信部１４に入射することは問題とならない。従って、光ファイバ１０の端面Ｅ１０は、光信号の進行方向に対して傾斜している必要がない。
【００３５】
（第２の実施形態）
図２は、本発明に係る実施の形態に従った全二重方式の光伝送モジュール２００の模式図である。光伝送モジュール２００は、送受信器対４０、送受信器対４２、信号入力部２８、信号出力部２９および演算回路３２を備えている。
【００３６】
送受信器対４０および４２は、光送信モジュール１１、光送信部１２、光受信モジュール１３、光受信部１４および遮光部８をそれぞれ備えている。送受信器対４０および４２において、光送信部１２および光受信部１４は互いに隣接して設けられている。遮光部８は、光送信部１２から送信された光信号が光受信部１４へ入射しないような構造を有する。例えば、遮光部８は、図４に示す光送信モジュールにおける光導波路１０４と光導波路１０５との間の障壁である。従って、図２において送受信器対４０および４２は簡単に示されているが、実際には、図４に示す光伝送モジュール１２１のように複雑な形状を有する。光送信モジュール１１、光送信部１２、光受信モジュール１３および光受信部１４は、図１に示したものと同様である。
【００３７】
光ファイバ４４および光ファイバ４５は、それぞれ送信用および受信用の光ファイバである。従って、送受信器対４０は光信号の受信に用いられ、送受信器対４２は光信号の送信に用いられる。
【００３８】
信号入力部２８は、送受信器対４０の光送信部１２において変換される電気信号を入力することができるように構成されている。信号出力部２９は、送受信器対４２の光受信部１３において変換された電気信号を出力することができるように構成されている。
【００３９】
演算回路３２は、送受信器対４０と信号入力部２８との間、並びに、送受信器対４２と信号出力部２９との間に接続されている。演算回路３２は、ＯＲ回路２５、ＡＮＤ回路２６、レベル保持回路２４、信号制御回路６０および８０を備えている。
【００４０】
ＯＲ回路２５の入力端子２５ａおよび２５ｂは、送受信器対４０の光受信部１４および送受信器対４２の光受信部１４にそれぞれ接続されている。ＯＲ回路２５の出力端子２５ｃは信号出力部２９に接続されている。
【００４１】
ＡＮＤ回路２６の一方の入力端子２６ａは信号入力部２８に接続されている。ＡＮＤ回路２６の他方の入力端子２６ａは、レベル保持回路２４を介してＯＲ回路２５の出力端子２５ｃに接続されている。ＡＮＤ回路２６の出力端子２６ｃは、信号制御回路６０および８０に接続されている。
【００４２】
レベル保持回路２４の入力端子２４ａはＯＲ回路２５の出力端子２５ｃに接続され、レベル保持回路２４の出力端子２４ｂは、ＡＮＤ回路２６の入力端子２６ｂに接続されている。レベル保持回路２４は、入力端子２４ａに入力された電気信号の最高電圧値（ハイレベル）を一定期間保持して、その電気信号を出力端子２４ｂから出力するように構成されている。
【００４３】
信号制御回路６０は、ＡＮＤ回路２１、インバータ回路２２およびレベル保持回路２３を備えている。信号制御回路８０は、ＡＮＤ回路５１、インバータ回路５２およびレベル保持回路５３を備えている。
【００４４】
レベル保持回路２３の入力端子２３ａは、ＯＲ回路２５の入力端子２５ａに接続されている。レベル保持回路２３は、入力端子２３ａに入力された電気信号の最高電圧値（ハイレベル）を一定期間保持して、その電気信号を出力端子２３ｂから出力するように構成されている。
【００４５】
インバータ回路２２の入力端子２２ａは、レベル維持回路２３の出力端子２３ｂに接続されている。インバータ回路２２は、入力端子２２ａから入力された電気信号の信号レベルを反転して、その電気信号を出力端子２２ｂから出力するように構成されている。
【００４６】
ＡＮＤ回路２１の入力端子２１ａはＡＮＤ回路の出力端子２６ｃに接続されている。ＡＮＤ回路２１の入力端子２１ｂはインバータ回路２２の出力端子２２ｂに接続されている。ＡＮＤ回路２１の出力端子２１ｃは、送受信器対４０の光送信部１２に接続されている。
【００４７】
レベル保持回路５３の入力端子５３ａは、ＯＲ回路２５の入力端子２５ｂに接続されている。レベル保持回路５３は、入力端子５３ａに入力された電気信号の最高電圧値（ハイレベル）を一定期間保持して、その電気信号を出力端子５３ｂから出力するように構成されている。
【００４８】
インバータ回路５２の入力端子５２ａは、レベル維持回路５３の出力端子５３ｂに接続されている。インバータ回路５２は、入力端子５２ａから入力された電気信号の信号レベルを反転して、その電気信号を出力端子５２ｂから出力するように構成されている。
【００４９】
ＡＮＤ回路５１の入力端子５１ａはＡＮＤ回路の出力端子２６ｃに接続されている。ＡＮＤ回路５１の入力端子５１ｂはインバータ回路５２の出力端子５２ｂに接続されている。ＡＮＤ回路５１の出力端子５１ｃは、送受信器対４２の光送信部１２に接続されている。
【００５０】
レベル保持回路２３、２４、５３は、例えば、図１に示したレベル保持回路１６と同様の特性を有するピークホールド回路である。但し、レベル保持回路２３、２４、５３のレベル保持期間は、レベル保持回路１６のそれとは同じである必要はない。
【００５１】
次に、光伝送モジュール２００の動作を説明する。本実施の形態においては、全二重伝送方式を採用しているので、光伝送モジュール２００は、送信と受信とを同時に実行することができる。
【００５２】
ＯＲ回路２５は、送受信対４０または送受信対４２のいずれの光受信部１４が信号を受信しても、その信号を信号出力部１９へ通過させることができる。図２においては、送受信対４２の光受信部１４が信号を受信している。しかし、送受信対４０と送受信対４２とを交換した場合に、送受信対４２の光受信部１４が信号を受信することが可能である。
【００５３】
レベル保持回路２３は、送受信対４０の光受信部１４からの電気信号のハイレベルを送信期間の間だけ保持する。よって、端子２３ａにおける電気信号がハイレベルである場合には、インバータ回路２２の端部２２ｂはロウレベルになる。これにより、送受信対４０の光受信部１４が信号を受信しているときには、ＡＮＤ回路２１の入力端子２１ａの信号レベルに関係なく、ＡＮＤ回路２１の出力信号はロウレベルになる。
【００５４】
一方で、レベル保持回路２３の入力端子２３ａにおける電気信号がロウレベルである場合には、インバータ回路２２の出力端子２２ｂはハイレベルになる。従って、送受信対４０の光受信部１４が信号を受信していないときには、ＡＮＤ回路２１の入力端子２１ａに入力された電気信号が、ＡＮＤ回路２１の出力信号として光送信部１２へ出力される。
【００５５】
レベル保持回路５３は、送受信対４２の光受信部１４からの電気信号のハイレベルを送信期間の間だけ保持する。よって、入力端子５３ａにおける電気信号がハイレベルである場合には、インバータ回路５２の端部５２ｂはロウレベルになる。これにより、送受信対４２の光受信部１４が信号を受信しているときには、ＡＮＤ回路５１の入力端子５１ａの信号レベルに関係なく、ＡＮＤ回路５１の出力信号はロウレベルになる。
【００５６】
一方で、端子５３ａにおける電気信号がロウレベルである場合には、インバータ回路５２の端部５２ｂはハイレベルになる。従って、送受信対４２の光受信部１４が信号を受信していないときには、ＡＮＤ回路５１の入力端子５１ａに入力された電気信号が、ＡＮＤ回路５１の出力信号として出力される。
【００５７】
このように、信号制御回路６０および８０は、光受信部１４が信号を受信している場合には、ＡＮＤ回路２６から出力された信号を光送信部１２へ送信しない。一方で、光受信部１４が信号を受信していない場合には、信号制御回路６０および８０は、ＡＮＤ回路２６から出力された信号を光送信部１２へ送信することができる。これにより、演算回路３２は、送受信対４０および４２に設けられている光送信部１２のうち、いずれの光送信部１２に電気信号を送るべきかを自動識別することが可能になる。
【００５８】
レベル保持回路２４は、出力端子２５ｃにおける電気信号のハイレベルを維持する。即ち、レベル保持回路２４は、送受信対４０または送受信対４２のいずれかの光受信部１４が光信号を受信している場合に、ハイレベルの電気信号を出力端子２４ｂへ出力する。このとき、ＡＮＤ回路２６の入力端子２６ｂがハイレベルになるので、ＡＮＤ回路２６は、信号入力部２８からの信号を信号制御回路６０へ出力する。
【００５９】
一方で、送受信対４０および送受信対４２の両方の光受信部１４が信号を受信していないときには、レベル保持回路２４は、ロウレベルの電気信号を出力端子２４ｂへ出力する。このとき、ＡＮＤ回路２６の入力端子２６ｂがロウレベルになるので、ＡＮＤ回路２６は、信号入力部２８からの信号レベルに関係なく、ＡＮＤ回路２６の出力信号はロウレベルになる。
【００６０】
これにより、送受信対４０および送受信対４２の両方の光受信部１４が光信号を受信していない場合、信号入力部２８に入力された信号は無効となる。よって、送受信対４０および送受信対４２の両方の光送信部１２がともに光信号を送信してしまうことがない。
【００６１】
また、送受信対４０および送受信対４２のうちの一方の光受信部１４が光信号を受信している場合、他方の光送信部１２から光信号を送信することができる。従って、本実施の形態によれば、送信用の光ファイバと受信用の光ファイバとの誤配線が生じない。
【００６２】
（第３の実施形態）
図３は、本発明に係る実施の形態に従った全二重方式の光伝送モジュール３００の模式図である。光伝送モジュール３００は、演算回路３２とモジュール１１、１２との間に、図１に示した制御回路３０が接続されている点で第２の実施の形態と異なる。これにより、本実施の形態では、図２に示した遮光部８が不要である。本実施の形態は、第１および第２の実施の形態の両方の効果を有する。
【００６３】
【発明の効果】
本発明による光伝送モジュールは、簡単な形状を有し、低コストであって、尚且つ、発光部と受光部との間の混信を防止することができる。
【００６４】
本発明による光伝送モジュールによれば、送信用の光ファイバと受信用の光ファイバとの誤配線が生じない。
【図面の簡単な説明】
【図１】本発明に係る第１の実施形態の模式図。
【図２】本発明に係る第２の実施の形態の模式図。
【図３】本発明に係る第３の実施の形態の模式図。
【図４】従来の光伝送モジュールの断面図。
【符号の説明】
１００、２００、３００  光伝送モジュール
１２  光送信部
１４  光受信部
１９、２８  信号入力部
１６、２４、５３  レベル保持回路
１７、２２、２３、５２  インバータ回路
１８、２６、２１、５１  ＡＮＤ回路
２０、２９  信号出力部
３０、３２  演算回路
８  遮光部
４０  送受信器対
４２  送受信器対
２５  ＯＲ回路
６０、８０  信号制御回路
【図１】
2005039358.tif 000003
【図２】
2005039358.tif 000004
【図３】
2005039358.tif 000005
【図４】
2005039358.tif 000006